(57)【要約】      （修正有）【課題】本発明は、Ｏリングを機械的な機構によって圧縮する、構造が簡単な止水プラグを提供する。【解決手段】Ｏリング８を中筒部４の傾斜面２に装着し、押輪部７の嵌合孔を前記押圧ボルト９に嵌合し、前記ナット１３を締め付けて、前記中筒部４と前記押輪部７とを結合する。この組み立てた状態で、下水道管等に挿入し、前記押輪部７を下水道管等に固定治具（図示せず）で押さえて、ナット１３をさらに締め付けると、Ｏリング８が下水道管等の内壁と中筒部４の傾斜面２及び押輪部７の押圧体１又は押輪部７の押圧棒２２に押される押輪１５により押し付けられて、水密的に下水道管等を遮断・閉塞する。【選択図】図７
2018112307.tif 000002
【特許請求の範囲】
【請求項１】
下水道管等の内径よりやや小さい径の円柱部分と該円柱部分から徐々に径を小さくし傾斜面を形成した円錐台部分とから成る中筒部と、下水道管等の内径より大きい外径部分と下水道管等の内径より小さい内径部分とから成る円環板状の押輪部と、前記中筒部の傾斜面と前記押輪部の押圧体とにより挟持されて下水道管等の内壁に押圧されるＯリングとからなることを特徴とする止水プラグ。
【請求項２】
下水道管等の内径よりやや小さい径の円柱部分と該円柱部分から徐々に径を小さくし傾斜面を形成し、引き続き円筒部分とから成る中筒部と、下水道管等の内径より大きい外径部分と下水道管等の内径より小さい内径部分とから成る円環板状の押輪部と、前記中筒部の傾斜面と前記押輪部の押圧棒に押される押輪とにより挟持されて下水道管等の内壁に押圧されるＯリングとからなることを特徴とする止水プラグ。
【請求項３】
前記中筒部は、円盤端面の周辺部には、複数本の押圧ボルトを等間隔で埋め込み立設することを特徴とする請求項１又は２記載の止水プラグ。
【請求項４】
前記押輪部は、前記中筒部の傾斜面に向き合う側には短円筒体の押圧体を凸設し、また前記中筒部の押圧ボルトに一致する位置に嵌合孔をそれぞれ設けることを特徴とする請求項１又は２記載の止水プラグ。
【発明の詳細な説明】
【技術分野】
【０００１】
本発明は、下水道等の管路内を遮断・閉塞するための止水プラグに関するものである。
【背景技術】
【０００２】
従来、空気注入式の止水プラグは、その構造上、管路内を完全に閉塞することが困難であるという問題があり、それに代えて、機械的な機構によってＯリングと管路内壁とを密着させることによって、時間の経過とともに密着力が低下するというような問題を好適に回避することができ、高い水密性を長時間にわたって持続させることができる止水プラグが知られている（特許文献１を参照）。
【０００３】
この公知技術は、内部に流体を封入した中空構造のＯリングが、二つの挟持部材によって挟持されるように構成し、それらの挟持部材が間隔を狭めて軸線方向へ前記Ｏリングを圧縮することにより、前記Ｏリングの外周部が全周的に外側方向へ押し拡げられるように構成されている止水プラグである。
この公知技術の止水プラグは、機械的な機構によってＯリングの外周部を下水道管の内壁に密着させるようになっているので、従来の空気注入式のものと比べて、高い水密性を得ることができるし、また時間の経過に伴って次第に密着性が低下するというような事態を好適に回避することができ、長時間にわたって高水密性を持続させることができるものである。
【０００４】
しかし、前述の止水プラグは、押圧プレートがガイドピンの突出方向へ移動可能に構成され、ナットを締め付け、あるいは、緩めることによって、押圧プレートとベースプレートとの間隔を調節できるようになっており、Ｏリングの外周部が下水道管の内壁に押し付けられる力は、押圧プレートによる圧縮力の大きさに応じて高くなるが、Ｏリングは下水道管の内壁とは反対方向にも圧縮力が働くため水密性が不完全となる恐れがあった。
【先行技術文献】
【特許文献】
【０００５】
【特許文献１】特開２０１５−１８０５６９号公報
【発明の概要】
【発明が解決しようとする課題】
【０００６】
本発明は、Ｏリングを機械的な機構によって圧縮する、構造が簡単な止水プラグを提供することを目的とする。
【課題を解決するための手段】
【０００７】
本発明の止水プラグは、下水道管等の内径よりやや小さい径の円柱部分と該円柱部分から徐々に径を小さくし傾斜面を形成した円錐台部分とから成る中筒部と、下水道管等の内径より大きい外径部分と下水道管等の内径より小さい内径部分とから成る円環板状の押輪部と、前記中筒部の傾斜面と前記押輪部の押圧体とにより挟持されて下水道管等の内壁に押圧されるＯリングとからなる。
本発明の止水プラグは、下水道管等の内径よりやや小さい径の円柱部分と該円柱部分から徐々に径を小さくし傾斜面を形成し、引き続き円筒部分とから成る中筒部と、下水道管等の内径より大きい外径部分と下水道管等の内径より小さい内径部分とから成る円環板状の押輪部と、前記中筒部の傾斜面と前記押輪部の押圧棒に押される押輪とにより挟持されて下水道管等の内壁に押圧されるＯリングとからなる。
【発明の効果】
【０００８】
本発明の止水プラグは、下水道管等の内径よりやや小さい径の円柱部分と該円柱部分から徐々に径を小さくし傾斜面を形成した円錐台部分とから成る中筒部と、下水道管等の内径より大きい外径部分と下水道管等の内径より小さい内径部分とから成る円環板状の押輪部と、前記中筒部の傾斜面と前記押輪部の押圧体又は前記押輪部の押圧棒に押される押輪とにより挟持されて下水道管等の内壁に押圧されるＯリングとからなるため、中筒部、押輪部及びＯリングからなる構造で、製作容易であり、かつ組立が簡易である。
また、Ｏリングを機械的な機構によって圧縮することが可能となるため、高い水密性を得ることができるし、また時間の経過に伴って次第に密着性が低下するというような事態を好適に回避することができ、長時間にわたって高水密性を持続させることができる。
【図面の簡単な説明】
【０００９】
【図１】本発明の止水プラグの設置方法の説明図である。
【図２】本発明の止水プラグの中筒部の（ａ）正面図、（ｂ）左側面図である。
【図３】本発明の止水プラグの押輪部の（ａ）正面図、（ｂ）左側面図である。
【図４】本発明の止水プラグの中筒部の図２（ｂ）の円弧部分の部分拡大図である。
【図５】本発明の止水プラグの押輪部の図３（ｂ）の円弧部分の部分拡大図である。
【図６】本発明の止水プラグの中筒部と押輪部との結合を示す部分拡大図である。
【図７】本発明の他の止水プラグの設置方法の説明図である。
【図８】本発明の他の止水プラグの中筒部の（ａ）正面図、（ｂ）背面図、（ｃ）断面図である。
【図９】本発明の他の止水プラグの押さえ板の（ａ）正面図、（ｂ）背面図、（ｃ）部分断面図である。
【図１０】本発明の他の止水プラグの押輪部の（ａ）正面図、（ｂ）背面図、（ｃ）部分断面図である。
【図１１】本発明の他の止水プラグの組み上がり状態の（ａ）正面図、（ｂ）背面図、（ｃ）断面図である。
【発明を実施するための形態】
【００１０】
本発明の止水プラグの一実施例を添付図面に基づいて、以下に説明する。
図１の説明図に示すように、本発明の止水プラグは、下水道管等の内径よりやや小さい径の円柱部分１と該円柱部分１から徐々に径を小さくし傾斜面２を形成した円錐台部分３とから成る中筒部４と、下水道管等の内径より大きい外径部分５と下水道管等の内径より小さい内径部分６とから成る円環板状の押輪部７と、前記中筒部４の傾斜面と前記押輪部７の押圧体１１とにより挟持されて下水道管等の内壁に押圧されるＯリング８とからなる。
【００１１】
前記中筒部４は、図２の（ａ）正面図、（ｂ）左側面図に示すように、下水道管等の内径よりやや小さい直径８４０〜８８０ｍｍの円柱部分１と該円柱部分１から徐々に径を小さくし傾斜面２を形成した直径７９０〜８３０ｍｍの円錐台部分３とから成り、図面上では上下に２分割された形状となっている。
前記円柱部分１は厚みが７０ｍｍで、傾斜面２の直径方向の幅は２５ｍｍとなっており、前記傾斜面2を形成する円錐台部分３は厚みが８０ｍｍである。
そして、前記円錐台部分３の円盤端面の周辺部には、８本の押圧ボルト９を等間隔で埋め込み立設する。
また、前記円錐台部分３の円盤端面の内方部には４本の接続用のニップル１０を埋め込む。
【００１２】
前記押輪部７は、図３の（ａ）正面図、（ｂ）左側面図に示すように、下水道管等の内径より大きい直径８９０〜９３０ｍｍの外径部分５と下水道管等の内径より小さい直径６９００〜７３０の内径部分６とから成る断面逆コ字状の円環板状であり、図面上では上下に２分割された形状となっている。
そして、前記外径部分５と内径部分６の間の幅は１００ｍｍであり、前記中筒部４の傾斜面２に向き合う側には幅６０ｍｍの短円筒体の押圧体１１を凸設し、また前記中筒部４の押圧ボルト９に一致する位置に嵌合孔１２をそれぞれ設ける。
【００１３】
前記Ｏリング８は、前記中筒部４の傾斜面２の直径方向の幅２５ｍｍより大径の直径３０ｍｍの中空ゴムからなる。
【００１４】
次に、本発明の止水プラグの設置方法を添付図面に基づいて、以下に説明する。
図４の図２の左側面図の部分拡大図に示すように、中筒部４の円錐台部分３の円盤端面に設けた押圧ボルト９にはナット１３が螺合されているが、前記ナット１３を取り外し、Ｏリング８を中筒部４の傾斜面２に装着し、図５の図３の左側面図の部分拡大図に示す押輪部７の嵌合孔１２を前記押圧ボルト９に嵌合し、前記ナット１３を締め付けて、図６の部分拡大図に示すように、前記中筒部４と前記押輪部７とを結合する。
この組み立てた状態で、図１に示すように、下水道管等に挿入し、前記押輪部７を下水道管等に固定治具（図示せず）で押さえて、ナット１３をさらに締め付けると、Ｏリング８が下水道管等の内壁と中筒部４の傾斜面２及び押輪部７の押圧体１１により押し付けられて、水密的に下水道管等を遮断・閉塞する。
なお、下水道管等の内壁に中筒部４を挿入し、Ｏリング８を傾斜面２に装着し、最後に押輪部７の嵌合孔１２を押圧ボルト９に嵌合して押輪部７を装着して、ナット１３で締付けて止水プラグを完成させることもできる。
【００１５】
本発明の止水プラグの他の実施例を添付図面に基づいて、同一部材については同一番号を使用して、以下に説明する。
図７の説明図に示すように、本発明の他の止水プラグは、下水道管等の内径よりやや小さい径の円柱部分１と該円柱部分１から徐々に径を小さくし傾斜面２を形成し、引き続き円筒部分１４とから成る中筒部４と、下水道管等の内径より大きい外径部分５と下水道管等の内径より小さい内径部分６とから成る円環板状の押輪部７と、前記中筒部４の傾斜面２と前記押輪部７の押圧棒２２に押される押輪１５とにより挟持されて下水道管等の内壁に押圧されるＯリング８とからなる。
【００１６】
前記中筒部４は、図８の（ａ）正面図、（ｂ）背面図、（ｃ）断面図に示すように、下水道管等の内径よりやや小さい直径の円柱部分１と該円柱部分１から徐々に径を小さくし傾斜面２を形成し、引き続き円筒部分１４とから成る。
そして、前記円柱部分１の中央部分には、排水を通す円筒状の排水口部分１６を形成して排水口部分１６端部に接続用のフランジ１７を備える。
また、前記中筒部４の円盤端面の周辺部には、８本の押圧ボルト９を等間隔で埋め込み立設する。
【００１７】
前記押輪部７は、図９の（ａ）正面図、（ｂ）背面図、（ｃ）部分断面図に示すように、下水道管等の内径より大きい直径の外径部分５と下水道管等の内径より小さい直径の内径部分６とから成る断面逆コ字状の円環板状である。
そして、前記外径部分５と内径部分６の間は、円環板２１であり、該円環板２１の前記中筒部４の傾斜面２に向き合う側には短円筒体の押圧棒２２を等間隔で凸設し、同様に前記中筒部４の押圧ボルト９に一致する位置に嵌合孔１２をそれぞれ設ける。
【００１８】
前記押輪１５は、図１０の（ａ）正面図、（ｂ）背面図、（ｃ）部分断面図に示すように、Ｏリング８のほぼ同径の幅で外径部分１８および内径部分１９と円環板２０とからなる断面逆コ字状の円環板状である。
前記Ｏリング８は、図７に示すように、前記中筒部４の傾斜面２の直径方向の幅と同径の中空ゴムからなる。
前記中筒部４と前記押輪部７との組み上がり状態を図１１の（ａ）正面図、（ｂ）背面図、（ｃ）断面図に示す。
【００１９】
次に、本発明の他の止水プラグの設置方法を添付図面に基づいて、以下に説明する。
図７の右側の拡大部分に示すように、中筒部４の円盤端面に設けた押圧ボルト９にはナット１３が螺合されているが、このナット１３を緩めて押輪部7を取り外し、中筒部４の傾斜面２に先にＯリング８を当接して装着し、次に、図１０に示す押輪１５の円環板２０をＯリング８に当接するようにして中筒部４の円筒部分１４に嵌合させる。
そして、押輪部７の嵌合孔１２を前記押圧ボルト９に嵌合し、前記ナット１３を締め付けて押輪部７を取り付けし、図７の右側の拡大部分に示すように、前記中筒部４と前記押輪部７とを結合する。
【００２０】
この図１１に示す組み上がり状態で、図７の左側に示すように、下水道管等に挿入し、前記押輪部７を下水道管等に固定治具（図示せず）で押さえて、ナット１３をさらに締め付けると、Ｏリング８が下水道管等の内壁と中筒部４の傾斜面２及び押輪部７の押圧棒２２に嵌合された押輪１５に押し付けられて、水密的に下水道管等を遮断・閉塞する。
なお、下水道管等の内壁に中筒部４を挿入し、Ｏリング８を傾斜面２に装着し、押輪１５を円筒部分１４に嵌合し、最後に押輪部７の嵌合孔１２を押圧ボルト９に嵌合して押輪部７を装着して、ナット１３で締付けて止水プラグを完成させることもできる。
【符号の説明】
【００２１】
１  円柱部分
２  傾斜面
３  円錐台部分
４  中筒部
５  外径部分
６  内径部分
７  押輪部
８  Ｏリング
９  押圧ボルト
１０  ニップル
１１  押圧体
１２  嵌合孔
１３  ナット
１４  円筒部分
１５  押輪
１６  排水口部分
１７  フランジ
１８  外径部分
１９  内径部分
２０  円環板
２１  円環板
２２  押圧棒
【図１】
2018112307.tif 000003
【図２】
2018112307.tif 000004
【図３】
2018112307.tif 000005
【図４】
2018112307.tif 000006
【図５】
2018112307.tif 000007
【図６】
2018112307.tif 000008
【図７】
2018112307.tif 000009
【図８】
2018112307.tif 000010
【図９】
2018112307.tif 000011
【図１０】
2018112307.tif 000012
【図１１】
2018112307.tif 000013